(57)【特許請求の範囲】
【請求項１】
オンフック状態で電話回線からデータを受信する装置において、
オンフック状態で電話回線から引き出したパワーのみで動作可能な低パワーモードと、オフフック状態で電話回線に対し外部ソースから引き出したパワーで動作可能なハイパワーモードで動作できる切り換え可能なコーデックを有することを特徴とする電話回線からのデータの受信装置。
【請求項２】
前記切り換え可能なコーデックは、オンフック状態で呼関連情報を受信するよう構成されていることを特徴とする請求項１記載の装置。
【請求項３】
前記呼関連情報は、発呼者ＩＤ情報であることを特徴とする請求項２記載の装置。
【請求項４】
前記切り換え可能なコーデックは、切り換え可能な次数を有するアナログからデジタルへのコンバータを有することを特徴とする請求項１記載の装置。
【請求項５】
前記コーデックのアナログからデジタルへのコンバータは、前記低パワーモードにおいて１次モードで動作するよう構成されていることを特徴とする請求項４記載の装置。
【請求項６】
前記コーデックのアナログからデジタルへのコンバータは、前記ハイパワーモードにおいて２次モードで動作するよう構成されていることを特徴とする請求項５記載の装置。
【請求項７】
電話回線から情報を受信する切り換え可能なコーデックにおいて、
オンフック状態で電話回線から取り出したパワーのみを用いてオンフック状態の電話回線から受信した呼関連情報をデジタル化する手段と、
オフフック状態で電話回線から取り出したアナログ信号を変換する手段とを有し、
前記デジタル化する手段は、前記切り換え可能なコーデックを低パワーモードにすることを含み、
前記変換する手段は、前記切り換え可能なコーデックをハイパワーモードにすることを含むことを特徴とする切り換え可能なコーデック。
【発明の詳細な説明】
【０００１】
【発明の属する技術分野】
本発明は、電話回線上を送信される情報を受信する受信機に関し、特に、オーディオコーデックを用いて電話回線側で呼に関連した情報（例：発呼者ＩＤ情報；発信者通知情報）の受信技術に関する。
【０００２】
【従来の技術】
呼関連情報を来入呼に応答する前に受信することは公知である。例えば、ある呼関連情報サービスは、発呼識別情報分配（発呼者ＩＤ）と称し、多くの電話会社により提供される周知の広く利用されているサービスである。このサービスは、発呼者側の電話番号と所有者名の情報を被呼者が呼に応答する前に被呼者側に通知するものである。発呼者ＩＤ情報が表示されると被呼者側は来入呼に応答しないと決めることができる。
【０００３】
基本的な発呼者ＩＤ情報は、電話会社から被呼者側に送信され、そして被呼者側の電話機は、第１と第２の呼出音の間では、ハングアップ即ちオンフック状態にある。発呼者番号の通知（Calling Number Delivery −ＣＮＤ）と発呼者名の通知（Calling Name Delivery −ＣＮＡＭ）を含む発呼者ＩＤ（Caller ID −ＣＩＤ）情報を顧客の構内にある装置がオンフック状態の時に受領できる顧客の構内用の設備は、第１タイプの顧客構内用設備と称する。
【０００４】
図６の波形（ａ）は、中央電話局から顧客の構内設備へ送信される発呼者ＩＤ情報を含む電話線上の信号を表す。同図に示すように発呼者ＩＤ情報は、第１と第２の呼出音（ring signal） との間のマークとスペースである。図６の波形（ｂ）は、顧客の構内設備が米国国内仕様の電流表示によりオンフック状態あるときの電話回線から顧客の構内設備により取り出された電流を示す。顧客の構内設備は、第１と第２の呼出音の間で電話回線からさらに余分の電流を引き出すことができるが、この余分な電力は、その振幅と持続時間の両方で制限されている。
【０００５】
さらにまた、オンフック状態の間では顧客の構内設備はさらに大幅な電力を引き出すことは許されてはいるが、第１タイプの発呼者ＩＤ情報は、顧客の構内設備がオンフック状態の間に完全に受信される。顧客の構内設備がオンフック状態にある間、電話回線から利用可能な電流量は制限されているために発呼者ＩＤ情報を受信する多くの装置は外部電力ソースにより電力を供給されるタイプか、あるいは非線形のアナログ回路のいずれかである。
【０００６】
電話回路のライン側で呼関連情報を受信する回路は従来から存在する。例えば図７は、呼関連情報（例、発呼者ＩＤ）を受領する従来のアナログ回路を示す。
【０００７】
図７においては呼関連情報は、オンフックスイッチ７０６が開状態にあるときでもキャパシタ７０２，７０４と変圧器Ｔ１を介して接続されている。図７の回路は、全部アナログ方式であり、回路の高電圧ライン側（図７の右側）と回路の低電圧側（図７の左側）の絶縁は、変圧器Ｔ１により行われている。
【０００８】
図８は呼関連情報を受領する従来の別の回路を示す。図８において、呼関連情報（例、発呼者ＩＤ）を受領する回路は、電話回路のメイン信号パスから切り離されたアナログ回路である。この呼関連情報信号パスは、絶縁キャパシタ８０８，８１０により切り離され、オペアンプ８２０へ抵抗８０４，８０６を介して差分的に入力される。オペアンプ８２０の出力はコーデック８３０に入力され、このコーデック８３０は信号をデジタル化して、このデジタル化された信号をデジタル信号プロセッサ（ＤＳＰ）８４０が処理する。
【０００９】
図８においては、呼関連情報用の回路は、アナログ回路で、コーデック８３０を絶縁キャパシタ８０８，８１０の低電圧側に具備している。このコーデック８３０には図８の従来回路で外部ソースにより電力が供給される。さらにまた、呼出信号は、オプトアイソレータ７０８または呼関連情報信号パスを介するかのいずれかにより検出される。
【００１０】
図７，８に示すような呼関連情報を受信する回路は、余分な回路を必要とするかあるいはオーディオコーデック７３０（図７）と８３０（図８）が常に電力が与えられた状態にいることが必要となり、これは無駄なことである。例えば、呼関連情報装置はバッテリーまたはラインにより電力が供給され、設置場所が容易に移動して電話線ジャックに接続されることがある。そのため呼関連情報装置には外部電力ソースを具備しないようにするのが望ましい。かくしてこのような状況においては、余分の回路またはオーディオコーデックは、バッテリーまたはラインによる電力では無駄なことである。
【００１１】
同様に図９は余分の回路を必要とするような呼関連情報を必要とする従来の別の回路を示す。図９においては、呼関連情報を受信する回路は、電話回路のメイン信号パスから切り離されたデジタル回路である。
【００１２】
特に図９に示すように電話回線からのチップ信号Ｔとリング信号Ｒは、フィルタ９１８とさらにアナログ増幅器９１６に入力され、このアナログ増幅器９１６は電話回線からの呼関連情報を含むアナログ信号を増幅する。アナログ増幅器９１６の出力は、制限／スライス回路９１４に入力され、この制限／スライス回路９１４は、デジタル信号を整形してＯＯＫ変調器９１２が処理できるようにしている。
【００１３】
このＯＯＫ変調器９１２は、呼関連情報をＤＳＰ９４０に絶縁キャパシタ９０２，９０４を介して送るためにＦＳＫレートでオン−オフキーイング信号を与える。このＤＳＰ９４０はＦＳＫ復号化モジュールを有し、呼関連情報を復号化して、例えばＣＮＤとＣＮＡＭを含む発呼者ＩＤ情報のような呼関連情報を出力してログメモリに記憶したり表示したりする。
【００１４】
図９においては、コーデック９３０は電話回路の低電圧側にある、即ち電話回線から絶縁されている。この実施例の場合には、絶縁キャパシタ９０２，９０４，変圧器Ｔ１により絶縁されている。コーデック９３０には外部電力ソースにより電力が与えられ、このコーデック９３０は呼関連情報を受信するパス内にはない。呼出信号は、オプトアイソレータ７０８によりまたは呼関連情報信号パスを介してのいずれかにより検出されるが、いずれの場合にも呼出音に関する振幅情報は検出されない。
【００１５】
【発明が解決しようとする課題】
本発明の目的は、電話回路の高電圧側にある呼関連情報のデジタル信号パス内で処理できるような低電力装置を具備した電話回路を提供することである。
【００１６】
【課題を解決するための手段】
本発明によれば、ラインから電力が供給される装置は、オンフック状態で電話回線からデータを受信する。この装置は、ラインから電力が供給される一次のあるいは他の非常に低電力のコーデックのシグマ−デルタ・アナログ−デジタルコンバータを有し、電話回線からのアナログ信号をデジタルサンプルにデジタル化する。デジタルフィルタが一次のシグマ−デルタ・アナログ−デジタルコンバータから出力されたデジタルサンプルをフィルター処理し、ラインにより電力が供給される周波数シフトキーイング復号化器により、フィルタ処理されたデジタル信号からの信号を復号化して、この復号化したデータを出力する。
【００１７】
本発明の方法は、オンフック状態において、電話回線からのデータを受信する方法を開示する。電話回線からのアナログ信号は、ラインにより電力が供給された一次のシグマ−デルタ・アナログ−デジタルコンバータを用いてデジタル化される。データは、一次のシグマ−デルタ・アナログ−デジタルコンバータの出力からデジタルで復号化され、この復号化されたデータが与えられる。
【００１８】
【発明の実施の形態】
本発明は、電話回路の高電圧回線側、即ち絶縁回路の前で動作可能なオーディオコーデックを提供する。呼に関連した情報をデジタル的に処理し、復調できるオーディオコーデックを回線側に配置することにより、呼に関連した情報（例：発呼者ＩＤ）の受信が従来の回路に対し、そのコストを低減でき、かつ回線側のパワーを用いて呼に関連した情報を受領することができる。
【００１９】
コーデック（コーダーとデコーダーの合成語）は、アナログ信号とパルス符号化変調（ＰＣＭ）デジタル信号との間で変換するのに必要な回路を組み合わせた集積回路あるいは電子デバイスである。初期のコーデックは、８ｋＨｚでアナログ信号を電話用に８ビットのＰＣＭに変換している。近年コーデックの効率と低コスト故に、アナログ信号を４８ｋＨｚのサンプリングレートで１６ビットのステレオ（さらにまた２０ビットのステレオにまで）に変換して電話に必要以上の高品質を与えている。このような高品質のオーディオの機能により今日のコーデックは、パソコン（ＰＣ），ＣＤプレーヤー，モデム，デジタルスピーカー等の消費者用ステレオ装置へ実際に適用されている。
【００２０】
信号対ノイズ（Ｓ／Ｎ）比の改善は、従来のコーデックを２個の別個のサブシステムにおよび／または２個のＩＣに分離することにより達成されている。これらのサブシステムとは、ホストプロセッサへのデジタルインタフェースを処理するコントローラサブシステムとアナログ信号のミキシングと変換へのインタフェースを司るアナログサブシステムである。
【００２１】
これらの分離したデジタル／アナログアーキテクチャは、文献（“Audio Codec '97 Component Specification”, Revision 1.03, September 15, 1996, most recently revised in “Audio Codec '97”, Revision 2.0, Intel Corporation, September 29, 1997 ）（以下「ＡＣ '９７仕様」と称する）に記載されている。本明細書に開示した実施例は、このＡＣ '９７仕様に適合したオーディオコーデックを含む。
【００２２】
図１は、本発明による回線側に配置されたオーディオコーデック１０４の関連部分を示す。本発明のオーディオコーデック１０４は、切り換え可能な次数、例えばアナログ−デジタル（Ａ／Ｄ）コンバータにおいては、電話回線から取り出された電力を用いて動作するための低減パワーモードで動作できるデルタ−シグマ（Δ／Σ）オーディオコーデックである。
【００２３】
図１において、チップ信号Ｔとリング信号Ｒは、極性ガード回路にそれぞれ入力され、この回路がチップ極性信号ＴＰとリング極性信号ＲＰをオーディオコーデック１０４に与える。オンフックスイッチ７０６が開いているときにはオンフック状態を示す。オンフックスイッチ７０６に並列に接続された抵抗１４０（例、４．７メガオーム）は、切り換え可能なオーディオコーデック１０４を含む顧客構内装置がオフフック状態、即ちオンフックスイッチ７０６が閉じた状態の時でも電話回線から取り出した電流を与える。
【００２４】
チップ信号Ｔを含む容量性の結合されたイベント信号が、切り替え可能なオーディオコーデック１０４内のイベント検出／送信機１２５に入力され、電話回線の信号活性状態を形成する。切り換え可能なオーディオコーデック１０４は、顧客構内装置のオンフック／オフフック状態に依存しておよび／または顧客構内装置が呼出信号または呼に関連した情報（例、発呼者ＩＤ情報）を受信しているか否かに応じて複数のパワーモードのうちの１つのモードに設定される。
【００２５】
切り換え可能なオーディオコーデック１０４の出力は、デジタル信号プロセッサ（ＤＳＰ）１１０に与えられ、発呼関連情報（例、発呼者ＩＤ情報）の処理の表示装置への出力がなされる。オフフック動作においては、ＤＳＰ１１０からのデジタル信号は、切り換え可能なオーディオコーデック１０４内のＤ／Ａコンバータ１２４に入力される。このＤＳＰ１１０は、絶縁キャパシタ１０６，１０８により回線側から切り離されている。
【００２６】
この実施例のオーディオコーデック１０４は、３種類のパワー低減モードが可能であり、これにより電力要件を緩和し、規定にしたがった要件の許容可能な範囲内で動作可能となる。例えばある種類のパワー低減モードにおいては、顧客の構内装置は、電話回線上では動きのないオンフック状態にある。パワーを若干消費する別のパワー低減モードにおいては、イベント検出／送信機１２５は電話回線上の信号の動きを検出する。
【００２７】
これらのパワー低減モードにおける第１モードあるいは両方のモードにおいては、切り換え可能なΣ／ΔＡ／Ｄコンバータ１４０にはパワーは与えられない。第３のパワー低減モードにおいては、呼関連情報の存在はイベント検出／送信機１２５により検出され、その検出によりΣ／Δ Ａ／Ｄコンバータ１４０内のパワーアップシーケンスが、システム制御モジュール１３２を介して第１次モードに入る。
【００２８】
オフフック状態の通常の動作においては、Σ／Δ Ａ／Ｄコンバータ１４０は高次のモード、例えば２次モードでパワーアップされ、このモードでは外部電力が引き出される必要がある。この２次モードは、Σ／Δ Ａ／Ｄコンバータ１４０の動作のより一般的なモードであり、Σ／Δ Ａ／Ｄコンバータ１４０の通常の動作モードに関連して、例えばＣＤプレーヤーからのまたは電話での会話のようなオーディオ信号がデジタル化される。
【００２９】
１次モードにおけるΣ／Δ Ａ／Ｄコンバータ１４０の動作は、Ｓ／Ｎ比の性能を悪化させるが、またオーディオ信号のデジタル化にとっては低い好ましくない性能を示すが、呼関連情報の受信のような非オーディオ信号のアプリケーションに対しては切り換え可能なオーディオコーデック１０４の電力の要件を大幅に減少させる。
【００３０】
この実施例においては、切り換え可能なΣ／Δ Ａ／Ｄコンバータ１４０は、呼関連情報の検出用の１次モードあるいはオフフック状態において、通常のハイパワー動作用の２次モードのいずれかで動作可能である。Ｓ／Ｎ比を低減させながら１次モードの動作は、呼関連情報（例、発呼者ＩＤ情報）を回線側のデジタル処理で受信するのに十分であることが見いだされた。かくして切り換え可能なオーディオコーデック１０４は、呼関連情報（例、発呼者ＩＤ情報）または呼出信号を電話回線により電力を供給されながら受信可能である。
【００３１】
切り換え可能なオーディオコーデック１０４は、さらに通常動作用、即ちオフフック状態時用にメインシャントレギュレータ１２８を有し、このメインシャントレギュレータ１２８は切り換え可能なオーディオコーデック１０４の低パワーモード時にシャットオフ（shut off）される。低パワーシャント１２６は抵抗１４２からパワーを受領する。切り換え可能なオーディオコーデック１０４は、Ｄ／Ａコンバータ１２４とトランジスタＱ１との間に差分値からシングルエンドへのコンバータ１２２を有し、通常動作即ちオンフック状態ではないときにＤＳＰ１１０からの信号で電話回線を変調する。
【００３２】
トランジスタＱ１と差分値からシングルエンドへのコンバータ１２２と差分フィールドバックＷ／分離ＡＣ＋ＤＣゲインモジュール回路１２０とＤ／Ａコンバータ１２４とメインシャントレギュレータ１２８は、オーディオコーデックのパワー低減モードではパワーは供給されない。イベント検出／送信機１２５は、呼関連情報の受領および／または切り換え可能なオーディオコーデック１０４が低パワーモードにあるときおよび顧客の構内システムがオンフック状態にあるときに電話回線上の呼関連情報および／または呼出音を検出する。
【００３３】
検出抵抗Ｒsense は、別個のＡＣゲインとＤＣゲインを有する差分フィールドバック回路１２０を介して切り換え可能なΣ／Δ Ａ／Ｄコンバータ１４０に電話回線上の信号を与える。データマルチプレクサ（ＭＵＸ）１３０は、切り換え可能なΣ／Δ Ａ／Ｄコンバータ１４０からのデジタル化信号またはシステム制御モジュール１３２の選択に基づいてイベント検出／送信機１２５からのデジタル化信号のいずれかをＤＳＰ１１０に出力する。イベント検出／送信機１２５からの信号は、呼出音に対応する信号を含む。
【００３４】
本発明によれば、切り換え可能なオーディオコーデック１０４は複数のパワーモード、例えばオーディオコーデックの機能が全部利用できるようなハイパワーモードと切り換え可能なオーディオコーデック１０４に電話回線から取り出された電流により電力を与えられるような他の低パワーモードで動作できる。
【００３５】
ローカルな電話機の標準によれば、シャントレギュレータが取り出すことのできる電流量は通常限界がある。例えば図６の波形（ｂ）で示すように、オンフック装置は現在のＵＳ標準に基づけば、１μＡの電流以上は引き出せないが、但し来入呼の第１呼出音と第２呼出音の間の期間では、オンフックデバイスはより多くの電流を取り出すことができるが、現在のＵＳ標準によればそれでも１ｍＡを越えることはない。
【００３６】
これらの電流制限は、現在の米国の電話機の標準に関連しているが、電力消費に課されるどのような制限も本発明によれば予想され、適切なものと考えられる。例えば本発明は、顧客の構内装置が用いられる標準に基づいて確立されるかあるいはそのような電流制限が全くないような場合のいずれでも適宜の電流制限に等しく適用可能である。
【００３７】
電話回線から顧客の構内装置に電力を与えるシャントレギュレータおよびその種の回路は公知である。しかし、従来のオーディオコーデックは、オンフック状態において電話回線から取り出すことができる量を越る電流を通常必要としている。本発明はオーディオコーデック内のΣ／Δ Ａ／Ｄコンバータに切り換え可能な次数を与え、呼に関連する情報の受信と処理が可能となり、かつ電話回線から取り出される電流の限られた量、即ち確立された限界内で電力が与えられる。
【００３８】
高次である２次のΣ／Δ Ａ／Ｄコンバータ装置は、従来からオーディオコーデックにとっては好ましいもので、特にＡＣ '９７仕様に広く適応できる装置には好ましく、これによりＡＣ'９７仕様により必要とされるより高いＳ／Ｎ比を与えることができる。かくして従来のオーディオコーデックは、本発明に適応可能なオーディオコーデックが有する１次モード動作が可能なΣ／Δ Ａ／Ｄコンバータを通常は含んでいない。
【００３９】
図２，３は、切り換え可能な２次のΣ／Δ Ａ／Ｄコンバータ１４０（図１）の詳細を示す。
【００４０】
図２において、１次モードと２次モードで切り換え可能なΣ／Δ Ａ／Ｄコンバータ１４０は、第一次段２５１と第二次段２５２とを有する。この第一次段２５１は加算器２１０と積分器２１２とを有する。第一次段２５１の出力は、第二次段２５２に入力され、この第二次段２５２は加算器２１４と積分器２１６とコンパレータ２１８とを有する。コンパレータ２１８の出力は、加算器２１０，２１４の両方に与えられる。切り換え可能な２次モードのΣ／Δ Ａ／Ｄコンバータ１４０のサンプリングレートは、コンパレータ２１８へ入力されるサンプリングクロックの周波数に基づいている。
【００４１】
１次モードにおける切り換え可能なΣ／Δ Ａ／Ｄコンバータ１４０の回路を図３に示す。図３において、チップ極性信号ＴＰ，リング極性信号ＲＰ上に現れる信号は、第二次段２５２ａにより形成される１次モードのΣ／Δ Ａ／Ｄコンバータによりデジタル信号に変換される。
【００４２】
２次モードのΣ／Δ Ａ／Ｄコンバータは公知である。本発明は、従来のオーディオコーデックを修正してＡＣ '９７仕様に適合するように切り換え可能なΣ／Δ Ａ／Ｄコンバータ１４０を含み、このΣ／Δ Ａ／Ｄコンバータ１４０は従来の２次モードのΣ／Δ Ａ／Ｄコンバータの第二次段２５２を含む。これにより切り換え可能なΣ／Δ Ａ／Ｄコンバータを１次モードのΣ／Δ Ａ／Ｄコンバータに落とし、そして顧客構内装置がオンフック状態にありながら切り換え可能なΣ／Δ Ａ／Ｄコンバータ１４０を含むオーディオコーデックにより消費される電力量を大幅に低減する。
【００４３】
切り換え可能なΣ／Δ Ａ／Ｄコンバータの１次モードの使用により、１次モードのΣ／Δ Ａ／Ｄコンバータから出力されたデジタル化信号のＳ／Ｎ比を低下させるが、その結果得られた低下したＳ／Ｎ比はそれでもデジタル信号処理技術を用いて発呼者ＩＤ情報を受信し復号化するのに十分である。この１次モードのΣ／Δ Ａ／Ｄコンバータを使用することにより、オンフック状態においてもオーディオコーデック１０４の電力消費を低減させ、オーディオコーデック１０４の必要な部分、例えば１次モードのΣ／Δ Ａ／Ｄコンバータ１４０がパワーアップされ、顧客構内装置がオンフック状態にありながら発呼者ＩＤ情報を受信できるようになる。
【００４４】
かくして本発明のオーディオコーデック１０４は、１次モードのΣ／Δ Ａ／Ｄコンバータを含み、これにより電話回線上の信号を受信し、単一ビットのΣ／Δサンプルにデジタル化する。
【００４５】
図４は、本発明の第２の実施例の関連部分を示し、回線により電力を与えられるオーディオコーデックの電力消費をさらに低減している。図４において、切り換え可能なオーディオコーデック１０４はさらにクロックデバイダ２６０を有する。このクロックデバイダ２６０は、サンプリングクロックを２で割っている。本発明の第２実施例による１次モードのΣ／Δ Ａ／Ｄコンバータ２５２ｂのコンパレータ２１８ａは、第１実施例のコンパレータ２１８に使用されたサンプリングレートの半分のサンプリングレートでサンプルが取り出される。
【００４６】
第２実施例における１次モードのΣ／Δ Ａ／Ｄコンバータ２５２ｂのサンプリングレートが低くなったことによりその結果得られたＳ／Ｎ比が劣化する、例えば８５ｄＢから３０ｄＢに劣化するが、しかし発呼者ＩＤ情報を正確に受信し、デジタル的に処理するのに十分以上のＳ／Ｎ比をそれでも有する。
【００４７】
本発明によれば、２以外の数字で割ることもできる。さらにまたより遅いクロック信号を水晶ソースあるいは他のソースから生成するが、図４に示すようなコンパレータ２１８ａへより遅いクロック信号を与えるのにより高いクロック周波数から必ずしもわり算をする必要はない。
【００４８】
米国標準によれば、発呼者ＩＤ情報を受信している期間１ｍＡもの電流を取り出すことができるが、本発明は切り換え可能なオーディオコーデック１０４を用いて０．３−０．４ｍＡの電流を用いて発呼者ＩＤ情報を受信し復号化できる。切り換え可能なオーディオコーデック１０４が発呼者ＩＤ情報を受信し、復調する以外の機能を実行しているとき例えばモデムに対する基本機能を与えているときには、電話回線からあるいは外部の電力ソースからのいずれかから電力を与えることができる。
【００４９】
２つの次元の動作機能を有する１個のＡ／Ｄコンバータの代わりに、別個の１次Ａ／Ｄコンバータを用いて呼関連情報を受信することができる。この場合、別個の１次Ａ／Ｄコンバータは、図３に示すよう構成される。
【００５０】
デジタル信号プロセッサ（ＤＳＰ）１１０と通信している切り換え可能なオーディオコーデック１０４は、図９に示した従来の回路の呼関連情報信号パスのデジタル的に等価な機能を実行する。
【００５１】
図５に示すように、ＤＳＰ１１０は切り換え可能なΣ／Δ Ａ／Ｄコンバータ１４０から出力されたデジタルΣ／Δ符号化信号を受信する。このＤＳＰ１１０は、その後必要によっては、増幅モジュール１１０ａ内でこの信号をデジタル的に増幅する。この増幅された信号は、デジタルフィルタ１１０ｂ内でデジタル的にフィルタ処理されて、呼関連情報（発呼者ＩＤ情報）を電話回線上の信号から切り離す。
【００５２】
デジタルフィルタ１１０ｂから出力された信号は、制限／スライスモジュール１１０ｃに入力され、この制限／スライスモジュール１１０ｃがフィルタ処理された信号をＦＳＫ復調器１１０ｄにより使用されるような部分に制限しスライスする。このＦＳＫ復調器１１０ｄは、信号中のデータを復号化して受信した呼関連情報を出力する。ＤＳＰ１１０内で行われる増幅とフィルタ処理と制限／スライシングとＦＳＫ復号化のデジタル処理は公知である。
【図面の簡単な説明】
【図１】本発明による電話回路の高電圧側のメイン信号パスと組み合わせた低パワーのデジタル呼関連情報信号パスを含む電話回路
【図２】図１に示した電話回路のオーディオコーデック内の分離可能な一次または二次のΣ／Δ Ａ／Ｄコンバータを表す図
【図３】図２に示したオーディオコーデックの一次のΣ／Δ Ａ／Ｄコンバータの回路図
【図４】二次のΣ／Δ Ａ／Ｄコンバータのサンプリングレートの半分のレートで呼関連情報を含むアナログ信号をデジタルに変換するために、クロックデバイダを用いた一次のΣ／Δ Ａ／Ｄコンバータを含む本発明の他の実施例を表す図
【図５】図１のＤＳＰの関連部分の詳細図
【図６】第１の呼出（リング）信号と第２の呼出信号との間で顧客の構内に配置される装置に送信される発呼者ＩＣ情報を含み、米国内においては顧客の構内に配置される装置を受け入れることにより第１の呼出信号と第２の呼出信号の間において用いられる最大許容電流の従来の電話回線上の信号を表すタイミング図
【図７】呼関連情報用の信号パスと組み合わされたメイン信号パスを含む従来の電話回路
【図８】別々のアナログ信号パス（即ちメイン信号パスと呼関連情報信号パス）を含む従来の別の電話回路を表す図
【図９】アナログメイン信号パスから切り離されたデジタルの呼関連情報信号パスを含む従来の電話回路の他の実施例を表す図
【符号の説明】
１０４  オーディオコーデック
１０６，１０８  絶縁キャパシタ
１１０  ジデタル信号プロセッサ
１２０  差分フィードバックＷ／分離ＡＣ＋ＤＣゲインモジュール回路
１２２  差分値からシングルエンドへのコンバータ
１２４  Ｄ／Ａコンバータ
１２５  イベント検出／送信機
１２６  低パワーシャント
１２８  メインシャントレギュレータ
１３０  データマルチプレクサ
１３２  システム制御モジュール
１４０  Σ／Δ Ａ／Ｄコンバータ
１４２  抵抗
２１０，２１４  加算器
２１２，２１６  積分器
２１８  コンパレータ
２５１  第一次段
２５２  第二次段
２６０  クロックデバイダ
７０２，７０４，７１０  キャパシタ
７０６  オンフックスイッチ
７０８  オプトアイソレータ
７３０，８３０，９３０  コーデック
７４０，８４０，９４０  デジタル信号プロセッサ
８０２，８０４，８０６，８２２  抵抗
８０８，８１０，９０２，９０４  絶縁キャパシタ
８２０  オペアンプ
９１０  インバータ
９１２  ＯＯＫ変調器
９１４  制限／スライス回路
９１６  アナログ増幅器
９１８  フィルタ
Ｔ  チップ信号
Ｒ  リング信号
Ｔ１  変圧器
ＴＰ  チップ極性信号
ＲＰ  リング極性信号
Ｑ１  トランジスタ
【図１】
0004024415.tif 000002
【図２】
0004024415.tif 000003
【図３】
0004024415.tif 000004
【図４】
0004024415.tif 000005
【図５】
0004024415.tif 000006
【図６】
0004024415.tif 000007
【図７】
0004024415.tif 000008
【図８】
0004024415.tif 000009
【図９】
0004024415.tif 000010